(57)【要約】      （修正有）【課題】面白味のある多様な視覚効果を与えるゆらゆら動く装飾品の構造を提供する。【解決手段】水照明本体と、台座と、装飾品とからなる。水照明本体は、内部に流動する液体が充填された可透光性を有する立体のデザイン物である。台座は、上向きの開口を備え、前記開口には、前記水照明本体が固定され、前記台座内部における前記水照明本体底部に対応する箇所には、少なくとも一つの発光素子が設けられ、前記発光素子は、スイッチモジュールの制御を受けて明滅する。装飾品は、立体の形態を呈するとともに、前記水照明本体の内部に設けられ、装飾品は、固定部材と、前記固定部材上方に設置された揺動部材と、可撓性線体とからなり、前記可撓性線体の両端は、それぞれ、前記固定部材と前記揺動部材に固定される。【選択図】図１
0003183812.tif 000002
【実用新案登録請求の範囲】
【請求項１】
水照明本体と、台座と、装飾品とからなるゆらゆら動く装飾品の構造であって、
水照明本体は、内部に流動する液体が充填された可透光性を有する立体のデザイン物であり、
台座は、上向きの開口を備え、前記開口には、前記水照明本体が固定され、前記台座内部における前記水照明本体底部に対応する箇所には、少なくとも一つの発光素子が設けられ、前記発光素子は、スイッチモジュールの制御を受けて明滅し、
装飾品は、立体の形態を呈するとともに、前記水照明本体の内部に設けられ、装飾品は、固定部材と、前記固定部材上方に設置された揺動部材と、可撓性線体とからなり、前記可撓性線体の両端は、それぞれ、前記固定部材と前記揺動部材に固定されることを特徴とする、ゆらゆら動く装飾品の構造。
【請求項２】
水照明本体は、中空を呈する透光性を有する本体と、透光性を有する底蓋とからなることを特徴とする、請求項１に記載のゆらゆら動く装飾品の構造。
【請求項３】
前記スイッチモジュールは、マイクロスイッチによって起動する電源部を備えるとともに、発光素子を動作させることを特徴とする、請求項１に記載のゆらゆら動く装飾品の構造。
【請求項４】
前記水照明本体の流動体内には、スパンコール或いはラメ粉が添加されることを特徴とする、請求項１に記載のゆらゆら動く装飾品の構造。
【請求項５】
前記装飾品の固定部材は、前記透光性を有する底蓋からなることを特徴とする、請求項２に記載のゆらゆら動く装飾品の構造。
【考案の詳細な説明】
【技術分野】
【０００１】
本考案はムード空間に使用されるゆらゆら動く装飾品の構造に関し、特に照明内部の液体が内部に設けられた装飾品を揺れ動かすことができるという視覚を備える、ゆらゆら動く装飾品の構造に関する。
【背景技術】
【０００２】
一般的に、日常生活で机の上に置かれる装飾品には、フォトフレーム、玩具の装飾品等がある。また、それらの装飾の置物は、いずれも、外観の美しさを鑑賞するための静的機能しかもたない。従って、内部にスパンコール、ラメ粉、装飾物等を備える水照明が考案された。それを手でさかさまにして揺らすことにより、或いは、電力により、その内部のスパンコール、ラメ粉、或いは、装飾物が流動する視覚効果を得ることができる。また、水照明内部の物品を変えると異なる視覚効果が生まれるため、様々な視覚効果を得ることができる可能性をひめており、多様な視覚効果を備え、多機能で面白味のある水照明を設計することは、ムード装飾品の研究開発者にとっての課題である。
【考案の概要】
【考案が解決しようとする課題】
【０００３】
そこで、本考案は、ゆらゆら動く装飾品の構造を提供することを目的とする。
【課題を解決するための手段】
【０００４】
本考案によるゆらゆら動く装飾品の構造は、水照明本体と、台座と、装飾品とからなる。水照明本体は、内部に流動する液体が充填された可透光性を有する立体のデザイン物である。台座は、上向きの開口を備え、前記開口には、前記水照明本体が固定され、前記台座内部における前記水照明本体底部に対応する箇所には、少なくとも一つの発光素子が設けられ、前記発光素子は、スイッチモジュールの制御を受けて明滅する。装飾品は、立体の形態を呈するとともに、前記水照明本体の内部に設けられ、装飾品は、固定部材と、前記固定部材上方に設置された揺動部材と、可撓性線体とからなり、前記可撓性線体の両端は、それぞれ、前記固定部材と前記揺動部材に固定される。
【考案の効果】
【０００５】
以上の構造により、前記水照明本体内部に液体が充填されると、前記揺動部材が、前記液体の重さを受けることによって前記固定部材と分離し、前記水球本体が揺れ動く中、揺動部材がぶら下って揺れ動く視覚効果を得ることができる。
【図面の簡単な説明】
【０００６】
【図１】本考案の実施例１の分解斜視図である。
【図２】本考案の実施例１の平面断面図である。
【図３】本考案のスイッチの概略図である。
【図４】本考案の実施例２を前から示した図である。
【図５】本考案の実施例２の一部の断面図である。
【考案を実施するための形態】
【０００７】
（実施例１）
まず、図１と図２を参照する。図１と図２は、本考案の外観の斜視図と断面図である。前記ゆらゆら動く装飾品の構造は、主に、水照明本体１と、台座２と、装飾品４とからなる。
【０００８】
水照明本体１は、中空の透光性を有する本体１１と、透光性を有する底蓋１２とからなり、水照明本体１内部は、流動する液体が充填されるとともに、スパンコール或いはラメ粉が添加される。
【０００９】
台座２は、上を向いた開口２１を備え、開口２１には、水照明本体１が固定される。台座２内部における水照明本体１底部に対応する箇所には、少なくとも一つの発光素子３１が設けられ、発光素子３１は、スイッチモジュール３に制御されて明滅する。
【００１０】
装飾品４は、立体の形態を呈するとともに、水照明本体１内部に設けられ、装飾品４は、固定部材４１と、固定部材４１上方に設置された揺動部材４２と、可撓性線体４３とからなる。可撓性線体４３の両端は、それぞれ、固定部材４１と揺動部材４２に固定される。なお、可撓性線体４３は、透明のナイロン線である。    
【００１１】
図３も併せて参照する。スイッチモジュール３には、電源部３２と、マイクロスイッチ３３と、中間制御ユニット３４と、発光素子３１とが設けられ、スイッチモジュール３は、台座２に取り付けられる。電源部３２は、体積を縮小するために、水銀電池にすることができる。マイクロスイッチ３３は、主に、軽微な動作を感知して電源部３２を導通させる。中間制御ユニット３４は、断続的に起動するように設定することも、選択的に起動させることもできる。また、発光素子３１は、発光ダイオードにすることができるとともに、透光性を有する水照明本体１の下方に設けられる。スイッチモジュール３は、一般的な従来の電子設計であり、本考案の実用新案登録請求の範囲のポイントではないため、ここでは記載を省略する。
【００１２】
以上の構造により、水照明本体１内部に液体を充填すると、揺動部材４２が、液体の重さを受け、固定部材４１と分離し、水照明本体１が揺れ動く中、揺動部材４２がぶら下って揺れ動くという視覚効果を得ることができる。本実施例において、装飾品４は雪だるまであり、固定部材４１は、雪だるまの体部であり、揺動部材４２は雪だるまの頭部である。
【００１３】
（実施例２）
図４と図５を参照する。図４と図５は、本考案の実施例２を前から示した図と、実施例２の一部の断面図である。上述した構造異なる点は、装飾品４ａの固定部材４１ａが、透光性を有する底蓋１２からなり、撓性線体４３の一端が透光性を有する底蓋１２に直接固定される点である。なお、揺動部材４２ａは、雪だるまの頭部であり、台座２ａの外観は、雪だるまの体部である。以上により、異なる視覚効果を得ることができる。
【符号の説明】
【００１４】
１      水照明本体
１１    本体
１２    底蓋
２      台座
２１    開口
３      スイッチモジュール
３１    発光素子
３２    電源部
３３    マイクロスイッチ
３４    中間制御ユニット
４      装飾品
４１    固定部材
４２    揺動部材
４３    可撓性線体
２ａ    台座
４ａ    装飾品
４１ａ  固定部材
４２ａ  揺動部材
【図１】
0003183812.tif 000003
【図２】
0003183812.tif 000004
【図３】
0003183812.tif 000005
【図４】
0003183812.tif 000006
【図５】
0003183812.tif 000007